(57)【特許請求の範囲】
【請求項１】
表示パネルを保持し、且つ開口を有するエンクロージャを画成するハウジングと、
前記エンクロージャ内に配置されたスピーカであって、前記ハウジングの内面に向く背面および前記ハウジングの前記内面とは反対側に向く前面を有し、背面容積が、前記スピーカが発生する音を向上させるために、前記ハウジングの少なくとも一部と前記スピーカの前記背面との間に画成される、スピーカと、
前記エンクロージャへ開口する端部を有し、前記開口を通って前記ハウジングの外側へ延出する音導管であって、前記スピーカが発生する前記音を伝送するために、後方に向かって開口するもう一方の端部を有する音導管と
を備えるヘッドマウントディスプレイ（ＨＭＤ）。
【請求項２】
前記ハウジングが、本体部分と、前記本体部分に装着されるカバー部とを備え、前記本体部分が前記背面容積を画成し、前記カバー部が前記開口を画成する、請求項１に記載のＨＭＤ。
【請求項３】
前記カバー部が、前記スピーカの前記前面の少なくとも一部を受け入れる別の開口を伴って形成され、
前記ハウジングが、前記別の開口内の前記スピーカを覆うために前記カバー部に装着されるスピーカカバーをさらに備える、
請求項２に記載のＨＭＤ。
【請求項４】
前記開口が、前記スピーカカバーと前記カバー部との間に画成される、請求項３に記載のＨＭＤ。
【請求項５】
前記本体部分、前記カバー部、および前記スピーカカバーが一緒になって、前記エンクロージャを画成する、請求項３に記載のＨＭＤ。
【請求項６】
前記ハウジングが、ストラップアームを前記ハウジングに取り付けるために、前記ストラップアームのヒンジを受け入れるヒンジ開口を伴って形成される、請求項１に記載のＨＭＤ。
【請求項７】
音声出力コネクタと、
前記音声出力コネクタまたはスピーカ駆動部へ音声信号を送るように構成された回路網と
をさらに備え、
前記ハウジングが、前記音声出力コネクタ用の音声コネクタ開口をさらに備える、
請求項１に記載のＨＭＤ。
【請求項８】
ＨＭＤの後部に顔面接触部をさらに備え、前記音導管の前記もう一方の端部が、前記顔面接触部に受け入れられる、請求項１に記載のＨＭＤ。
【請求項９】
前記音導管が、前記スピーカが発生する前記音を前記エンクロージャから前記顔面接触部へ伝送する、請求項８に記載のＨＭＤ。
【請求項１０】
前記ハウジングの上部領域に位置するバッテリをさらに備える、請求項１に記載のＨＭＤ。
【請求項１１】
表示パネルを保持し、且つ開口を有するエンクロージャを画成するハウジングを備える前部剛性本体と、
前記エンクロージャへ開口する端部を有し、前記開口を通って前記前部剛性本体の外側へ延出する音導管であって、前記エンクロージャからの音を伝送するために、後方に向かって開口するもう一方の端部を有する音導管と
を備えるヘッドマウントディスプレイ（ＨＭＤ）。
【請求項１２】
前記前部剛性本体が、本体部分と、前記本体部分に装着されるカバー部とを備え、前記本体部分が背面容積を画成し、前記カバー部が前記開口を画成し、
ＨＭＤが、前記エンクロージャ内に配置されたスピーカをさらに備え、前記スピーカが、前記前部剛性本体の内面に向く背面および前記前部剛性本体の前記内面とは反対側に向く前面を有し、背面容積が、前記スピーカが発生する音を向上させるために、前記ハウジングの少なくとも一部と前記スピーカの前記背面との間に画成される、
請求項１１に記載のＨＭＤ。
【請求項１３】
前記前部剛性本体が、前記スピーカの前記前面の少なくとも一部を受け入れる別の開口を伴って形成され、
前記前部剛性本体が、前記別の開口内の前記スピーカを覆うために装着されるスピーカカバーをさらに備える、
請求項１２に記載のＨＭＤ。
【請求項１４】
前記開口が、前記スピーカカバーと前記カバー部との間に画成される、請求項１３に記載のＨＭＤ。
【請求項１５】
前記前部剛性本体が、ストラップアームを前記ハウジングに取り付けるために、前記ストラップアームのヒンジを受け入れるヒンジ開口を伴って形成される、請求項１１に記載のＨＭＤ。
【請求項１６】
音声出力コネクタと、
前記音声出力コネクタまたはスピーカ駆動部へ音声信号を送るように構成された回路網と
をさらに備え、
前記ハウジングが、前記音声出力コネクタ用の音声コネクタ開口をさらに備える、
請求項１１に記載のＨＭＤ。
【請求項１７】
前記前部剛性本体の後部に顔面接触部をさらに備え、前記音導管の前記もう一方の端部が、前記顔面接触部に受け入れられる、請求項１１に記載のＨＭＤ。
【請求項１８】
前記音導管は、スピーカが発生する前記音を前記エンクロージャから前記顔面接触部へ伝送する、請求項１７に記載のＨＭＤ。
【請求項１９】
表示パネルを保持し、且つ開口を有するエンクロージャを画成するハウジングを、１つまたは複数のハウジング部品によって形成することと、
前記エンクロージャ内にスピーカを配置することであって、前記スピーカが、前記ハウジングの内面に向く背面および前記ハウジングの前記内面とは反対側に向く前面を有し、背面容積が、前記スピーカが発生する音を向上させるために、前記ハウジングの少なくとも一部と前記スピーカの前記背面との間に画成される、スピーカを配置することと、
前記エンクロージャ内に音導管の端部を配置することであって、前記音導管が、前記エンクロージャへ開口する端部を有し、前記開口を通って前記ハウジングの外側へ延出し、前記音導管が、前記スピーカが発生する前記音を伝送するために、後方に向かって開口するもう一方の端部を有する、音導管の端部を配置することと
を含む、ヘッドマウントディスプレイ（ＨＭＤ）を製造する方法。
【請求項２０】
前記ハウジングが、
ストラップアームを前記ハウジングに取り付けるために、前記ストラップアームのヒンジを受け入れるヒンジ開口と、
音声コネクタ用の音声コネクタ開口と
の少なくとも１つを伴って形成される、請求項１９に記載の方法。
【発明の詳細な説明】
【技術分野】
【０００１】
本開示は、ヘッドマウントディスプレイ（ＨＭＤ）の音声出力に関する。
【背景技術】
【０００２】
ＨＭＤは、たとえば、仮想現実（ＶＲ）システム、拡張現実（ＡＲ）システム、複合現実（ＭＲ）またはそれらの何らかの組合せの一部として作動することができる。ＨＭＤの作動中、ＨＭＤは、使用者の頭部に着用され、音声出力が、映像出力と連係して発せられ得る。しかし、高品質の音声出力をＨＭＤから直接生成するのは難しいことがある。ＨＭＤのハウジングの寸法は、使用者の頭部に快適に合わせるために、制約があり得る。たとえば、ハウジングは、表示パネルおよび他の電子構成要素を保持する前部剛性本体を備え得る。ＨＭＤが使用者によって着用されるとき、前部剛性本体は、使用者の眼の前に位置し、したがって使用者の耳から距離が離れている。したがって、従来のＨＭＤシステムは、前部剛性本体またはＨＭＤハウジングの他の部分の内部に組み込まれた音声構成要素の代わりに、音声出力のために、独立したヘッドフォンまたは他の音声出力装置を使用してきた。
【発明の概要】
【０００３】
本開示の実施形態は、ハウジングの一部とスピーカの背面とによって画成された背面容積を備えるヘッドマウントディスプレイ（ＨＭＤ）に関する。ＨＭＤのハウジングが、開口を有するエンクロージャを画成する。スピーカが、エンクロージャ内に配置され、スピーカの背面が、ハウジングの内面に向く。スピーカの前面は、ハウジングの内面とは反対側に向く。背面容積が、スピーカが発生する音を向上させるために、少なくともハウジングとスピーカの背面との間に画成される。音導管が、エンクロージャへ開口する端部を有し、開口を通ってハウジングの外側へ延出する。音導管は、スピーカが発生する音を伝送するために、後方に向かって開口するもう一方の端部を有する。
【図面の簡単な説明】
【０００４】
【図１】一実施形態によるヘッドマウントディスプレイ（ＨＭＤ）の透視図である。
【図２Ａ】一実施形態による、サイドカバー１２０を取り除いた図１のＨＭＤの側面図である。
【図２Ｂ】一実施形態による、サイドカバー１２０を取り除いた図１のＨＭＤの別の側面図である。
【図３】一実施形態による、音声出力アセンブリの構成要素の分解組立図である。
【図４】一実施形態による、音声出力アセンブリの本体部分内に装着されたスピーカの透視図である。
【図５】一実施形態による、音声出力アセンブリのカバー部に装着された音導管の透視図である。
【図６】一実施形態による、本体部分と結合されたカバー部を備える音声出力アセンブリの透視図である。
【図７】一実施形態による、音声出力アセンブリの別の透視図である。
【発明を実施するための形態】
【０００５】
諸図面は、例示のためのみに本開示の実施形態を示す。
【０００６】
本開示の実施形態は、高品質音声出力用の一体化音声出力アセンブリを有するヘッドマウントディスプレイ（ＨＭＤ）に関する。左右の音声出力部のそれぞれについて、ＨＭＤは、開口を有するエンクロージャを画成するハウジングを備える。ハウジングは、１つまたは複数の表示パネルを含めて諸構成要素が装着されているＨＭＤの前部剛性本体の一部分であり得る。スピーカは、スピーカの発生する音を向上させるために、ハウジングの少なくとも一部とスピーカの背面との間に画成される背面容積を画成するようにエンクロージャ内に配置される。音導管が、エンクロージャ内のスピーカから後方に、ＨＭＤを着用している使用者の耳に向けて音を伝送するために、開口を通って延在する。
【０００７】
図１は、一実施形態によるＨＭＤ１００の透視図である。ＨＭＤ１００は、仮想現実（ＶＲ）システム、拡張現実（ＡＲ）システム、複合現実（ＭＲ）システムまたはそれらの何らかの組合せの一部であり得る。ＨＭＤ１００は、他の構成要素の中でも、前部剛性本体１０５、ヘッドストラップ１１０、フロントカバー１１５、およびサイドカバー１２０を備え得る。サイドカバー１２０は、ＨＭＤ１００の音声出力を行うために、前部剛性本体１０５の左側部１４０および右側部１４５に、音声出力アセンブリを備えるハウジングを囲い込む。音声出力アセンブリは、図２Ａ、２Ｂ、３、４、５、６、および７に即して以下で詳細に説明される。フロントカバー１１５は、ＨＭＤ１００から空気および熱を排出するためにフロントカバー１１５の外縁とサイドカバー１２０の外縁との間にスリット１２５を伴って、サイドカバー１２０に取り付けられる。
【０００８】
前部剛性本体１０５の左側部１４０および右側部１４５の音声出力アセンブリは、それぞれ、左側部１４０でストラップアーム１２０および右側部１４５でストラップアーム１５０（図２に示される）など、ストラップアームに取り付けられる。ストラップアーム１２０および１５０は、ヘッドストラップ１１０を前部剛性本体１０５に固定し、様々な頭部寸法にヘッドストラップ１１０が適応するように調節可能な取付部を形成することができる。
【０００９】
図１に示されたＨＭＤ１００は、また、フロントカバー１１５の上部および底部に配置されたカメラアセンブリ１３０を備える。いくつかの実施形態では、各カメラアセンブリ１３０は、ＨＭＤ１００の一部または全ての周囲の局所領域の深度情報を求める深度カメラアセンブリ（ＤＣＡ）として装備することができる。各カメラアセンブリ１３０は、撮像開口および照明開口（図１に示さず）を備え、カメラアセンブリ１３０の照明源（図１に示さず）が、照明開口を通して光を出す。カメラアセンブリ１３０の照明源は、同時または時点を違えて複数の光線をたとえば構造化光パターンの形で発射する単一基板上の複数のレーザ型発光素子から構成することができる。カメラアセンブリ１３０の撮像装置（図１に示さず）が、局所領域から反射され、かつ／または散乱された照明源からの光を撮像開口を通して捕捉する。カメラアセンブリ１３０の撮像装置に結合され、またはその中に一体化されたコントローラ（図１に示さず）が、捕捉された反射／散乱光に基づいて、局所領域内の１つまたは複数の物体の２次元または３次元情報を求めることができる。同じまたは別のコントローラが、カメラアセンブリ１３０の照明源の作動を制御することができる。
【００１０】
図１に示されたＨＭＤ１００は、また、ワイヤレストランシーバ１３５を備える。いくつかの実施形態では、ＨＭＤ１００は、ワイヤレストランシーバ１３５を介してコンソール（図１に示さず）と無線通信をする。コンソールは、ＨＭＤ１００から受信した情報に応じて、コンテンツを、それを処理するＨＭＤ１００に送ることができる。ＨＭＤ１００は、ワイヤレストランシーバ１３５を介してコンソールへ情報を送信することができる。ＨＭＤは、さらに、コンソールからワイヤレストランシーバ１３５を介してコンテンツを受信することができる。いくつかの実施形態では、コンソールは、ＨＭＤ１００から受信した情報に基づいて、ＨＭＤ１００の一部または全ての周囲の局所領域の２次元および／または３次元マッピングを生成する。いくつかの実施形態では、コンソールは、深度計算に使用される技法に関連するカメラアセンブリ１３０から受信した情報に基づいて、局所領域の３次元マッピング用の深度情報を決定する。ＨＭＤ１００は、たとえば、ワイヤレストランシーバ１３５を介して、ＨＭＤ１００の位置情報、加速度情報、速度情報、今後の予想位置、またはそれらの何らかの組合せをコンソールに送ることができる。受信した情報に基づいて、コンソールは、使用者への提示用にＨＭＤ１００へ送るコンテンツを決定する。
【００１１】
一実施形態では、前部剛性本体１０５は、１つまたは複数の電子ディスプレイ要素（図１に示さず）、使用者の眼球の位置および角度方向を判定する１つまたは複数の内臓アイトラッキングシステム（たとえばＨＭＤ１００を装着している使用者の各眼に１つのアイトラッキングシステム、図１に示さず）、慣性測定ユニット（ＩＭＵ）（図１に示さず）、１つまたは複数の位置センサ（図１に示さず），および基準点（図１に示さず）を備える。位置センサは、ＩＭＵ内に配置することができ、ＩＭＵも位置センサも、ＨＭＤ１００の使用者には見えない。ＩＭＵは、１つまたは複数の位置センサから受け取った測定信号に基づいて迅速に較正データを生成する電子装置である。位置センサは、ＨＭＤ１００の動きに応答して１つまたは複数の測定信号を生成する。位置センサの例には、１つまたは複数の加速度計、１つまたは複数のジャイロスコープ、１つまたは複数の磁力計、別の適切なタイプの運動を検出するセンサ、ＩＭＵの誤差補正に使用されるタイプのセンサ、またはそれらの何らかの組合せが含まれる。位置センサは、ＩＭＵの外部、ＩＭＵの内部、またはそれらの何らか組合せで配置することができる。
【００１２】
ＨＭＤ１００の１つまたは複数の電子ディスプレイ要素を、電子ディスプレイ（図１に示さず）に組み込むことができる。電子ディスプレイは、画像光を生成する。いくつかの実施形態では、電子ディスプレイは、生成された画像光の焦点を調節する光学要素を備える。電子ディスプレイは、コンソール（図１に示さず）から受け取ったデータに従って、使用者に画像を表示する。様々な実施形態において、電子ディスプレイは、単一の電子ディスプレイまたは複数の電子ディスプレイ（たとえば使用者の各眼に１つのディスプレイ）を備え得る。電子ディスプレイの例には、液晶ディスプレイ（ＬＣＤ）、有機発光ダイオード（ＯＬＥＤ）ディスプレイ、無機発光ダイオード（ＩＬＥＤ）ディスプレイ、アクティブマトリクス有機発光ダイオード（ＡＭＯＬＥＤ）ディスプレイ、透明有機発光ダイオード（ＴＯＬＥＤ）ディスプレイ、何らかの他のディスプレイ、プロジェクタ、またはそれらの何らかの組合せが含まれる。電子ディスプレイは、また、開口、フレネルレンズ、凸レンズ、凹レンズ、回折要素、導波路、フィルタ、偏光子、ディフューザ、ファイバテーパ、反射面、偏光反射面、または電子ディスプレイから発射された画像光に作用するあらゆる適切な他の光学要素を備え得る。
【００１３】
ＨＭＤ１００は、また、光学アセンブリ（図１に示さず）を備え得る。光学アセンブリが、電子ディスプレイから受け取った光を拡大し、画像光に付随する光学収差を補正し、補正された画像光が、ＨＭＤ１００の使用者に提示される。光学アセンブリの少なくとも１つの光学要素は、開口、フレネルレンズ、屈折レンズ、反射面、回折要素、導波路、フィルタ、反射面、偏光反射面、または電子ディスプレイから発射される画像光に作用するあらゆる適切な他の光学要素であり得る。さらに、光学アセンブリは、様々な光学要素の組合せを備え得る。いくつかの実施形態では、光学アセンブリの光学要素の１つまたは複数が、反射防止コーティング、ダイクロニックコーテイングなどのような１つまたは複数のコーティングを有し得る。光学アセンブリによる画像光の拡大は、電子ディスプレイの要素を物理的により小さくし、軽量化し、より大きなディスプレイより消費電力を低減することを可能にする。さらに、拡大は、ディスプレイ媒体の視野を増加させることができる。たとえば、ディスプレイ媒体の視野は、ディスプレイ媒体が使用者の視野のほぼ全て（たとえば１１０度対角）、場合によっては全てを使用して提示されるようになる。いくつかの実施形態では、光学アセンブリは、その有効焦点距離が電子ディスプレイまでの間隔より大きくなるように設計され、それによって、電子ディスプレイによって投影される画像光が拡大される。さらに、いくつかの実施形態では、光学要素を付け加えまたは取り除くことによって、拡大率を調節することができる。
【００１４】
図２Ａは、一実施形態による、サイドカバー１２０を取り除いた図１のＨＭＤ１００の側面図である。図２Ａではサイドカバー１２０およびストラップアーム１２０が取り除かれ、それによって、前部剛性本体１０５のハウジングの左側部１４０を形成する音声出力アセンブリ２００を図示することができる。音声出力アセンブリ２００は、ＨＭＤ１００を着用している使用者の左耳に音を届け、また、ストラップアーム１２０用の機械的装着構造を伴う（左側部１４０に関する図２Ａに示されず）。前部剛性本体１０５の右側部１４５は、ＨＭＤ１００を着用している使用者の右耳に音を届ける音声出力アセンブリをやはり備え得、また、右側部１４５のストラップアーム１５０用の機械的装着構造を伴う。
【００１５】
他の構成要素の中でも、音声出力アセンブリ２００は、音声出力アセンブリ２００の内部から発生した音（たとえばスピーカによって）を使用者の耳に向けて導く音導管２０５を備える。音を使用者の耳に向けて導くために、音導管２０５は、ＨＭＤ１００の後方ｘに延出する。
【００１６】
ＨＭＤ１００は、顔面接触部２１０をさらに備える。顔面接触部２１０は、前部剛性本体１０５の後部（たとえばフロントカバー１１５の反対側）に装着された圧縮性物体でもよい。ＨＭＤ１００が使用者によって着用されると、顔面接触部２１０が、使用者の顔に接触し、圧縮されて、ＨＭＤ１００に対し確実で快適な密着をもたらすことができる。前部剛性本体と顔面接触部２１０との間に他の構成要素があり得るが、それら構成要素は、便宜上、本明細書では省略されている。
【００１７】
いくつかの実施形態では、ＨＭＤ１００は、前部剛性本体１０５の上部領域に配置されたバッテリ２２０を備える。バッテリは、左右の音声出力アセンブリ２００の間の、前部剛性本体１０５の上側から開口する空洞内に配置することができる。ＨＭＤ１００のスピーカおよび他の電気構成要素は、電力を受けるためにバッテリに接続される。
【００１８】
図２Ｂは、一実施形態による、音声出力アセンブリ２００に装着された顔面接触部２１０を有するＨＭＤ１００の別の側面図である。顔面接触部２１０は、前部剛性本体１０５から延出する音導管２０５の端部を受け入れる導管受入部２１５を備え得る。いくつかの実施形態では、顔面接触部２１０は、左右の音導管２０５のためにそれぞれの導管受入部２１５を画成する第１の陥凹および第２の陥凹を有する（図２Ｂに示される通り）。音導管２０５が顔面接触部２１０によって受け入れられると、顔面接触部２１０は、音導管２０５の内側を使用者の顔面または他の直接の接触元から機械的に遮蔽することによって、音導管２０５の機械的保護を行う。さらに、音導管２０５は、音を顔面接触部２１０へ伝送することができる。いくつかの実施形態では、サイドカバー１２０（図１に示される）が、音声出力アセンブリ２００を覆って嵌まることができ、音導管２０５の、前部剛性本体１０５から延出する部分の外側を遮蔽し、この場合、外側は、顔面接触部２１０の陥凹２１５内に位置する音導管２０５の内側の反対側になる。したがって、顔面接触部２１０およびサイドカバー１２０が一緒になって、音導管２０５の、前部剛性本体１０５から延出する部分に対する保護部を形成する。
【００１９】
図３は、一実施形態による、音声出力アセンブリ２００の構成要素の透視図である。音声出力アセンブリ２００は、前部剛性本体１０５の複数部品ハウジング部を、一緒になって画成する本体部分３０５、カバー部３１０、およびスピーカカバー３２５を備える。音声出力アセンブリ２００は、スピーカ３１５および音導管２０５をさらに備える。いくつかの実施形態では、１つの音声出力アセンブリ２００が、前部剛性本体１０５の左側部１４０を形成し、もう１つの音声出力アセンブリ２００が、前部剛性本体１０５の右側部１４５を形成する。いくつかの実施形態では、左右の音声出力アセンブリは、異なる構成要素を備え得る。一例では、１つの音声出力アセンブリのみが、外部スピーカと接続するための音声コネクタを備える。
【００２０】
本体部分３０５は、音声出力アセンブリ２００をＨＭＤ１００の他の構成要素に取り付けるための支持構造を構える。カバー部３１０は、機械的取付具（たとえばスクリュー）、接着剤等を介するなどで、本体部分３０５に取り付く。いくつかの実施形態では、カバー部３１０は、カバー部３１０に取り付いてカバー部３１０のスピーカ開口３６５を覆う別個のスピーカカバー３２５を備える。
【００２１】
本体部分３０５、カバー部３１０、およびスピーカカバー３２５が結合して、スピーカ３１５および音導管２０５の入力端３９０のためのハウジングを形成する。詳細には、本体部分３０５、カバー部３１０、およびスピーカカバー３２５が一緒になって、スピーカ３１５および入力端３９０のためのエンクロージャ３５５を画成するハウジングを形成する。エンクロージャ３５５は、本体部分３０５とカバー部３１０が結合されているとき導管開口３６０を形成するカバー部３１０によって画成される導管開口３６０を有する。
【００２２】
スピーカ３１５は、スピーカケーブル３３０を通して受信した信号に基づいて音を発生する。スピーカ３１５は、前面３４５および背面３５０を有する。いくつかの実施形態では、スピーカ３１５は、前面３４５および背面３５０から発射される音を発生するダイアフラムを備える。スピーカ３１５の背面３５０は、エンクロージャ３５５内に本体部分３０５の内面に向けて配置され、それによって、背面容積３７０が、ハウジングの一部（たとえば本体部分３０５）とスピーカ３１５の背面３５０との間に画成される。背面容積３７０は、スピーカ３１５が発生する音を向上させる。たとえば、背面容積３７０は、スピーカ３１５の背面３５０に音響的に結合されて、スピーカ３１５の背面３４５から発射された音を音導管２０５の入力端３９０に入射させる。音導管２０５は、音を音導管２０５を通して伝送し、音導管２０５の出力端３９５から出す。
【００２３】
いくつかの実施形態では、カバー部３１０は、カバー部３１０が本体部分３０５に結合されたとき、スピーカ３１５の前面３４５上に位置するスピーカ開口３６５を備える。スピーカカバー３２５が、スピーカ開口３６５上に装着され、エンクロージャ３５５内のスピーカ３１５の前面３４５を覆う。いくつかの実施形態では、スピーカ３１５の前面３４５は、突出した囲繞部３７５（たとえばダイアフラムの外縁に沿って形成された）を有し、スピーカ開口３６５は、囲繞部３７５の寸法に適合している。囲繞部３７５は、スピーカ開口３６５内に延出してスピーカ３１５を位置決めし、スピーカ３１５をエンクロージャ３５５内の所定位置に固定する。音導管２０５は、スピーカ３１５が発生した音を伝送する。音導管２０５の入力端３９０は、スピーカ３１５と共にエンクロージャ３５５内に配置され、音導管２０５の出力端３９５は、導管開口３６０（スピーカカバー３２５がカバー部３１０と結合されると形成される）を通って、エンクロージャ３５５から外へ延出する。エンクロージャ３５５内に配置された音導管２０５の入力端３９０は、エンクロージャ３５５内の音と音響的に結合し、その音は、音導管２０５の出力端３９５を通ってエンクロージャ３５５から外へ伝送される。音導管２０５は、音を伝送するために入力端３９０と出力端３９５との間に延在する複数の通路を備え、音導管２０５に構造強度を与えるために各通路間に支持リブを備える。
【００２４】
いくつかの実施形態では、本体部分３０５がヒンジ開口３３５を備え、カバー部３１０が、対応するヒンジ開口３４０を備える。本体部分３０５とカバー部３１０とが結合されると、ヒンジ開口３３５と３４０とが、ストラップアーム１２０を受け入れるために位置が揃う。
【００２５】
いくつかの実施形態では、本体部分３０５が音声コネクタ開口３８０を備え、カバー部３１０が、対応する音声コネクタ開口３８５を備える。本体部分３０５とカバー部３１０とが結合されると、音声コネクタ３８０と３８５との位置が揃って、外部スピーカ用の音声コネクタを受け入れる。
【００２６】
図４は、一実施形態による、音声出力アセンブリ２００の本体部分３０５内に装着されたスピーカ３１５の透視図である。カバー部３１０が本体部分３０５と結合される前に、スピーカ３１５が、背面容積３７０を画成するようにスピーカ３１５の背面３５０を本体部分３０５の一部分に向けて、本体部分３０５内に配置される。
【００２７】
音声コネクタ４０５が、本体部分３０５の音声コネクタ開口３８０を通って延出する。音声コネクタ４０５は、ヘッドフォン上のスピーカ、ラウドスピーカなどの外部スピーカが音声コネクタ４０５に接続されたとき、音声出力を行う。スピーカ３１５のスピーカケーブル３３０が、本体部分３０５によって画成されるケーブル開口４１０などで、本体部分３０５からやはり延出することができる。音声コネクタ４０５およびスピーカケーブル３３０は、プリント回路基板（ＰＣＢ）、コントローラ、または音声出力信号を選択的に送る他の回路網（たとえば、スピーカ３１５の反対側で側部本体部分３０５に配置された）など、共通源に接続することができる。いくつかの実施形態では、回路網は、外部スピーカが音声コネクタ４０５に接続されると、音声コネクタ４０５へ音声出力信号を送り、他の場合には、スピーカ３１５へ音声出力信号を送る。いくつかの実施形態では、回路網は、音声出力信号を生成するなど、ＨＭＤ１００における計算作業を行う中央演算装置（ＣＰＵ）を備える。別の例では、別個のコンソールまたは他の計算装置が、音声出力信号を生成し、その音声出力信号を有線または無線接続を使用してＨＭＤ１００へ送る。
【００２８】
いくつかの実施形態では、開口接手４１５が、本体部分３０５をカバー部３１０に固定し、それらの位置合わせを容易にする。開口接手４１５は、円筒形を有し、開口接手４１５の第１の端が、ヒンジ開口３３５内に配置され、開口接手４１５の第２の端が、カバー部３１０のヒンジ開口３４０内に配置される。このように、開口接手４１５は、ヒンジ開口３３５および３４０に沿って、本体部分３０５とカバー部３１０との位置合わせを容易にする。
【００２９】
図５は、一実施形態による、音声出力アセンブリ２００のカバー部３１０に装着された音導管２０５の透視図である。音導管の入力端３９０は、カバー部３１０に配置される。スピーカ３１５は、カバー部３１０が本体部分３０５に結合されると、囲繞部３７５がスピーカ開口３６５を通って延出することによって、位置決めされる。
【００３０】
図６および７は、一実施形態による、本体部分３０５と結合されたカバー部３１０を備える音声出力アセンブリ２００の２つの異なる透視図である。図４に示されるように本体部分３０５にスピーカ３１５が配置された後、カバー部３１０が、本体部分３１０と結合される。図５に示されるように、音導管２０５の入力端３９０が、カバー部３１０に配置され、次いで、スピーカカバー３２５が、カバー部３１０に装着されて、エンクロージャ３５５および導管開口３６０が形成される。
【００３１】
ストラップアーム１２０のヒンジを、ヒンジ開口３４０および３３５に挿入して、ストラップアーム１２０を音声出力アセンブリ２００に連結することができる。音声コネクタ４０５が、カバー部３１０の音声コネクタ開口３８５を通って延出する。
【００３２】
本体部分３０５、カバー部３１０、およびスピーカカバー３２５が一緒になって、前部剛性本体１０５の複数部品ハウジング部を形成することによって、音声出力アセンブリ２００の効率的組立を容易にする。たとえば、エンクロージャ３５５にアクセスし、エンクロージャ３５５内のスピーカ３１５もしくは音導管２０５を交換および／または修理するなどのために、スピーカカバー３２５をカバー部３１０から取り外すことができる。いくつかの実施形態では、本体部分３０５、カバー部３１０、およびスピーカカバー３２５のうちの２つ以上が、単一体部品として一体化される。
【００３３】
本明細書で使用される用語は、主として、読み易さおよび教示目的のために選択されており、本発明の主題を線引きし限定するために選択されていることはない。したがって、本開示の範囲は、この詳細な説明によって限定されるものではない。それゆえ、実施形態の本開示は、本開示の範囲の例示であることを目指し、本開示の範囲を限定するものではなく、本開示の範囲は、添付特許請求の範囲で示される。
【図１】
0006963092.tif 000002
【図２Ａ】
0006963092.tif 000003
【図２Ｂ】
0006963092.tif 000004
【図３】
0006963092.tif 000005
【図４】
0006963092.tif 000006
【図５】
0006963092.tif 000007
【図６】
0006963092.tif 000008
【図７】
0006963092.tif 000009